(57)【要約】【課題】視聴装置と視聴端末との間でより簡易に継続視聴することができる視聴装置及び視聴端末を提供する。【解決手段】コンテンツを表示する表示部と、前記コンテンツの音声を出力するスピーカ部と、前記コンテンツの字幕を抽出する字幕抽出部と、前記字幕抽出部で抽出された字幕から字幕キーワードを抽出する字幕キーワード抽出部と、前記コンテンツに関する情報または前記字幕キーワードを視聴端末に送信する送受信部とを具備する視聴装置。【選択図】  図７
2015109525.tif 000002
【特許請求の範囲】
【請求項１】
コンテンツを表示する表示部と、
前記コンテンツの音声を出力するスピーカ部と、
前記コンテンツの字幕を抽出する字幕抽出部と、
前記字幕抽出部で抽出された字幕から字幕キーワードを抽出する字幕キーワード抽出部と、
前記コンテンツに関する情報または前記字幕キーワードを視聴端末に送信する送受信部とを具備する視聴装置。
【請求項２】
前記視聴端末からの要求により前記視聴装置で視聴している前記コンテンツに関する情報をコマンドとして生成するコマンド生成部を更に具備し、
前記送受信部はこのコマンドとして前記コンテンツに関する情報を前記視聴端末に送信する請求項１に記載の視聴装置。
【請求項３】
アプリケーションが記憶された記憶部と、
音声を取得するマイク部と、
前記マイク部で取得した音声から音声キーワードを抽出し、一定時間保持する音声キーワード抽出部と、
視聴装置から送信される字幕キーワードまたはコマンドを受信する送受信部と、
前記音声キーワードと前記字幕キーワードとを比較し一致か否かの判定を行う比較部と、
前記比較部において、前記音声キーワードと前記字幕キーワードが一致しないと判定された場合に、視聴装置のコンテンツ情報を取得するコマンドを生成するコマンド生成部と、
前記コンテンツ情報を受信した際に、コンテンツ情報を解析するコンテンツ情報解析部と、
視聴装置から受信したコンテンツ情報をもとに、関連するアプリケーションを前記記憶部から起動するアプリケーション起動部とを具備する視聴端末。
【請求項４】
更に前記コンテンツを表示する表示部を具備する請求項３に記載の視聴端末。
【発明の詳細な説明】
【技術分野】
【０００１】
本発明の実施形態は、視聴装置及び視聴端末に関する。
【背景技術】
【０００２】
ＴＶ（テレビジョンセット）のリモートコントローラの役割を果たすとなるアプリケーションや、ＴＶの録画番組を視聴することができるアプリケーションがある。また、地デジ（地上ディジタル放送）対応のタブレット端末もある。また、これらのアプリケーションは同じ端末において、あるアプリケーションから別のアプリケーションを起動させることによって、連携することができるようになり、タブレット端末がリモートコントローラになったり、視聴端末になったりすることができるようになった。
【０００３】
しかしながら課題として、アプリケーションをリモートコントローラとしてＴＶの視聴中に、ユーザが宅内でタブレットを持ち出して継続視聴を行ないたい場合、視聴しているコンテンツに合わせて、アプリケーションを立ち上げ、関連するコンテンツを選択したうえで視聴する必要があり、手間となっていた状況がある。
【０００４】
即ち、ＴＶ（視聴装置）とタブレット（視聴端末）との間でより簡易に継続視聴することができる視聴装置及び視聴端への要望があるが、かかる要望を実現するための手段は知られていない。
【先行技術文献】
【特許文献】
【０００５】
【特許文献１】特開２００６−１０８９０２号公報
【発明の概要】
【発明が解決しようとする課題】
【０００６】
本発明の実施の形態は、視聴装置と視聴端末との間でより簡易に継続視聴することができる視聴装置及び視聴端末を提供することを目的とする。
【課題を解決するための手段】
【０００７】
上記課題を解決するために、実施形態によれば視聴装置は、コンテンツを表示する表示部と、前記コンテンツの音声を出力するスピーカ部と、前記コンテンツの字幕を抽出する字幕抽出部と、前記字幕抽出部で抽出された字幕から字幕キーワードを抽出する字幕キーワード抽出部と、前記コンテンツに関する情報または前記字幕キーワードを視聴端末に送信する送受信部とを具備する。
【図面の簡単な説明】
【０００８】
【図１】一実施形態にかかる録画再生装置について説明する為の図。
【図２】一実施形態にかかる録画再生装置の制御部について説明する為の図。
【図３】実施形態にかかる電子機器の外観を模式的に示す図。
【図４】実施形態にかかる電子機器のハードウェア構成の一例を示すブロック構成図。
【図５】同実施形態の音声処理部の詳細な構成を示すブロック図。
【図６】視聴装置の機能構成図の一例。
【図７】視聴端末の機能構成図の一例。
【図８】視聴装置の字幕キーワード送信までのシーケンス図。
【図９】視聴装置のコンテンツ情報要求コマンド受信から送信までのシーケンス図。
【図１０】視聴端末のシーケンス図。
【発明を実施するための形態】
【０００９】
以下、実施形態を図１乃至図１０を参照して説明する。まず、図２までを参照しながら、視聴装置の一実施形態にかかる録画再生装置について説明する。
【００１０】
図１は、一実施形態にかかる録画再生装置としての放送受信装置１００の例を示す。
放送受信装置１００は、映像を表示するディスプレイ（表示部４００）が設けられる本体と、本体を自立可能な状態で支える脚部とを備える。
また、放送受信装置１００は、放送入力端子１１０、受信部１１１、復元部１１２、通信インターフェース１１４、音声処理部１２１、映像処理部１３１、表示処理部１３３、制御部１５０、操作入力部１６１、カードコネクタ１６４、ＵＳＢコネクタ１６６、ディスクドライブ１７０、ＬＡＮコネクタ１７１、電源制御部１８０、及びストレージ１９０を備える。また、放送受信装置１００は、さらにスピーカ３００及びディスプレイ４００を備える。
【００１１】
放送入力端子１１０は、例えばアンテナ２００により受信されるディジタル放送信号が入力される入力端子である。アンテナ２００は、例えば、地上ディジタル放送信号、ＢＳ（ｂｒｏａｄｃａｓｔｉｎｇ  ｓａｔｅｌｌｉｔｅ）ディジタル放送信号、及び／または、１１０度ＣＳ（ｃｏｍｍｕｎｉｃａｔｉｏｎ  ｓａｔｅｌｌｉｔｅ）ディジタル放送信号を受信する。即ち、放送入力端子１１０には、放送信号により供給される番組などのコンテンツが入力される。
【００１２】
放送入力端子１１０は、受信したディジタル放送信号を受信部１１１に供給する。受信部１１１は、ディジタル放送信号用の受信部である。受信部１１１は、アンテナ２００から供給されるディジタル放送信号のチューニング（選局）を行う。受信部１１１は、チューニングしたディジタル放送信号を復元部１１２に送信する。受信部１１１は、送信入力端子１１０または通信インターフェース１１４から供給される信号がアナログ信号である場合は、ディジタル信号に変換する。
【００１３】
復元部１１２は、受信するディジタル放送信号の復調を行う。さらに、復元部１１２は、復調したディジタル放送信号（コンテンツ）に対して信号処理を施す。これにより、復元部１１２は、ディジタル放送信号から映像信号、音声信号、及びその他のデータ信号を復元する。例えば、復元部１１２は、ディジタル放送信号から映像信号、音声信号、及びその他のデータ信号などが重畳されたトランスポートストリーム（ＴＳ）を復元する。
【００１４】
復元部１１２は、音声処理部１２１に音声信号を供給する。また、復元部１１２は、映像処理部１３１に映像信号を供給する。さらに、復元部信号処理部１１３は、制御部１５０にデータ信号を供給する。即ち、アンテナ２００、受信部１１１、及び復元部１１２は、コンテンツを受信する受信手段として機能する。
【００１５】
通信インターフェース１１４は、例えばＨＤＭＩ（登録商標）（High Definition Multimedia Interface）端子、オーディオ入力端子、Ｓ映像端子、コンポーネント映像端子、Ｄ映像端子、Ｄ−Ｓｕｂ端子、及びＤＶＩ−Ｉ端子などのコンテンツを受信可能なインターフェースのうちのいずれか、または複数を備える。通信インターフェース１１４は、ディジタル映像信号、及びディジタル音声信号などが多重化されたコンテンツを他の機器から受信する。通信インターフェース１１４は、他の機器から受信したディジタル信号（コンテンツ）を受信部１１１に供給する。通信インターフェース１１４は、他の機器から受信したコンテンツを復元部１１２に供給する。即ち、通信インターフェース１１４は、コンテンツを受信する受信手段として機能する。
【００１６】
復元部１１２は、通信インターフェース１１４から受信部１１１経由で供給されたコンテンツに信号処理を施す。例えば、復元部１１２は、ディジタル信号をディジタル映像信号とディジタル音声信号とデータ信号とに分離する。復元部１１２は、音声処理部１２１にディジタル音声信号を供給する。また、復元部１１２は、映像処理部１３１にディジタル映像信号を供給する。さらに、復元部１１２は、制御部１５０にコンテンツに関する他の情報を供給する。
【００１７】
またさらに、復元部１１２は、制御部１５０の制御に基づいてコンテンツを後述するストレージ１９０に供給する。ストレージ１９０は、供給されたコンテンツを記憶する。これにより、放送受信装置１００は、コンテンツを録画することができる。
【００１８】
音声処理部１２１は、復元部１１２から受信したディジタル音声信号を、スピーカ３００により再生可能なフォーマットの信号（オーディオ信号）に変換する。音声処理部１２１は、オーディオ信号をスピーカ３００に供給する。スピーカ３００は、供給されるオーディオ信号に基づいて音を再生する。
【００１９】
映像処理部１３１は、復元部１１２から受信したディジタル映像信号を、ディスプレイ４００で再生可能なフォーマットの映像信号に変換する。即ち、映像処理部１３１は、復元部１１２から受信した映像信号を、ディスプレイ４００で再生可能なフォーマットの映像信号にデコード（再生）する。また、映像処理部１３１は、図示しないＯＳＤ処理部から供給されるＯＳＤ信号を映像信号に重畳する。映像処理部１３１は、映像信号を表示処理部１３３に出力する。
【００２０】
ＯＳＤ処理部は、復元部１１２から供給されるデータ信号、及び／または制御部１５０から供給される制御信号に基づいて、ＧＵＩ（グラフィック  ユーザ  インタフェース）画面、字幕、時刻、または他の情報などを画面に重畳して表示する為のＯＳＤ信号を生成する。ＯＳＤ処理部は、個別にモジュールとして放送受信装置１００内に設けられていてもよいし、制御部１５０の機能として設けられていてもよい。
【００２１】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ４００に供給する。ディスプレイ４００は、供給される映像信号に基づいて映像を表示する。
【００２２】
ディスプレイ４００は、例えば、マトリクス状に配列された複数の画素を備える液晶表示パネルと、この液晶パネルを照明するバックライトとを備える液晶表示装置などを備える。ディスプレイ４００は、放送受信装置１００から供給される映像信号に基づいて映像を表示する。
【００２３】
なお、放送受信装置１００は、ディスプレイ４００の代わりに、映像出力端子を備える構成であってもよい。また、放送受信装置１００は、スピーカ３００の代わりに、音声出力端子を備える構成であってもよい。この場合、放送受信装置１００は、映像出力端子に接続される表示装置に映像信号を出力し、音声出力端子に接続されるスピーカに音声信号を出力する。これにより、放送受信装置１００は、表示装置に映像を表示させ、スピーカから音声を出力させることができる。
【００２４】
制御部１５０は、放送受信装置１００の各部の動作を制御する制御手段として機能する。制御部１５０は、ＣＰＵ１５１、ＲＯＭ１５２、ＲＡＭ１５３、及びＥＥＰＲＯＭ１５４などを備えている。制御部１５０は、操作入力部１６１から供給される操作信号に基づいて、種々の処理を行う。
【００２５】
ＣＰＵ１５１は、種々の演算処理を実行する演算素子などを備える。ＣＰＵ１５１は、ＲＯＭ１５２、またはＥＥＰＲＯＭ１５４などに記憶されているプログラムを実行することにより種々の機能を実現する。
【００２６】
ＲＯＭ１５２は、放送受信装置１００を制御する為のプログラム、及び各種の機能を実現する為のプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００２７】
ＲＡＭ１５３は、ＣＰＵ１５１のワークメモリとして機能する。即ち、ＲＡＭ１５３は、ＣＰＵ１５１の演算結果、ＣＰＵ１５１により読み込まれたデータなどを記憶する。
【００２８】
ＥＥＰＲＯＭ１５４は、各種の設定情報、及びプログラムなどを記憶する不揮発性メモリである。
操作入力部１６１は、例えば、操作キー、キーボード、マウス、音声入力装置、タッチパッドまたは操作入力に応じて操作信号を生成する事ができる他の入力装置などを備える。また、操作入力部１６１は、例えば、リモートコントローラからの操作信号を受信するセンサなどを備える構成であってもよい。また、操作入力部１６２は、上記の入力装置とセンサとを備える構成であってもよい。即ち、操作入力部１６１は、操作信号を受け取る操作信号受信手段として機能する。
【００２９】
操作入力部１６１は、入力された操作信号を制御部１５０に供給する。制御部１５０は、操作入力部１６１から供給された操作信号に基づいて、放送受信装置１００に種々の処理を行わせる。
【００３０】
なお、タッチパッドは、静電センサ、サーモセンサ、または他の方式に基づいて位置情報を生成するデバイスを含む。また、放送受信装置１００がディスプレイ４００を備える場合、操作入力部１６１は、ディスプレイ４００と一体に形成されるタッチパネルなどを備える構成であってもよい。
【００３１】
リモートコントローラは、ユーザの操作入力に基づいて操作信号を生成する。リモートコントローラは、生成した操作信号を赤外線通信により操作入力部１６１のセンサに送信する。なお、センサとリモートコントローラとは、電波などの他の無線通信により操作信号の送受信を行う構成であってもよい。
【００３２】
カードコネクタ１６４は、例えば、動画コンテンツを記憶するメモリカード１６５と通信を行う為のインターフェースである。カードコネクタ１６４は、接続されるメモリカード１６５から動画のコンテンツデータを読み出し、制御部１５０に供給する。
【００３３】
ＵＳＢコネクタ１６６は、ＵＳＢ機器１６７と通信を行う為のインターフェースである。ＵＳＢコネクタ１６６は、接続されるＵＳＢ機器１６７から供給される信号を制御部１５０に供給する。
【００３４】
例えば、ＵＳＢ機器１６７がキーボードなどの操作入力機器である場合、ＵＳＢコネクタ１６６は、操作信号をＵＳＢ機器１６７から受け取る。ＵＳＢコネクタ１６６は、受け取った操作信号を制御部１５０に供給する。この場合、制御部１５０は、ＵＳＢコネクタ１６６から供給される操作信号に基づいて種々の処理を実行する。
【００３５】
また、例えば、ＵＳＢ機器１６７が動画のコンテンツデータを記憶する記憶装置である場合、ＵＳＢコネクタ１６６は、コンテンツをＵＳＢ機器１６７から取得することができる。ＵＳＢコネクタ１６６は、取得したコンテンツを制御部１５０に供給する。
【００３６】
ディスクドライブ１７０は、例えば、コンパクトディスク（ＣＤ）、ディジタルバーサタイルディスク（ＤＶＤ）、ブルーレイディスク（Ｂｌｕ−ｒａｙ（登録商標）  Ｄｉｓｋ）、または動画のコンテンツデータを記録可能な他の光ディスクＭを装着可能なドライブを有する。ディスクドライブ１７０は、装着される光ディスクＭからコンテンツを読み出し、読み出したコンテンツを制御部１５０に供給する。
【００３７】
ＬＡＮコネクタ１７１は、放送受信装置１００をネットワークに接続する為のインターフェースである。制御部１５０は、ＬＡＮコネクタ１７１がＬＡＮケーブルまたは無線ＬＡＮなどにより公衆回線に接続された場合、ネットワーク経由で種々のデータのダウンロード及びアップロードを行なう事ができる。
【００３８】
電源制御部１８０は、放送受信装置１００の各部への電力の供給を制御する。電源制御部１８０は、例えば、ＡＣアダプタなどを介して商用電源５００などから電力を受け取る。商用電源５００は、交流の電力を電源制御部１８０に供給する。電源制御部１８０は、受け取った交流の電力を直流に変換し各部へ供給する。
【００３９】
また、放送受信装置１００は、さらに他のインターフェースを備えていても良い。インターフェースは、例えば、Ｓｅｒｉａｌ−ＡＴＡなどである。放送受信装置１００は、インターフェースにより接続される機器に記録されているコンテンツを取得し、再生することができる。また、放送受信装置１００は、再生したオーディオ信号及び映像信号を、インターフェースにより接続される機器に出力することが出来る。
【００４０】
また、放送受信装置１００がインターフェースを介してネットワークに接続される場合、放送受信装置１００は、ネットワーク上の動画のコンテンツデータを取得し、再生することができる。
【００４１】
ストレージ１９０は、コンテンツなどを記憶する記憶装置である。ストレージ１９０は、例えば、ハードディスク（ＨＤＤ）、ソリッドステイトドライブ（ＳＳＤ）、または半導体メモリなどの大容量記憶装置を備える。また、ストレージ１９０は、ＵＳＢコネクタ１６６、ＬＡＮコネクタ１７１、通信インターフェース１１４、または他のインターフェースに接続された記憶装置により構成されていてもよい。
【００４２】
上記したように、制御部１５０は、コンテンツを録画する場合、復元部１１２により復調されたコンテンツのデータをストレージ１９０に入力させる。さらに、制御部１５０は、コンテンツを記憶するストレージ１９０内のアドレスをストレージ１９０に指示する。ストレージ１９０は、制御部１５０により指示されたアドレスに復元部１１２から供給されたコンテンツを記憶する。
【００４３】
なお、ストレージ１９０は、ディジタル放送信号から復元されたＴＳを記憶する構成であってもよいし、ＴＳがＡＶＩ、ＭＰＥＧまたは他の圧縮方式により圧縮された圧縮コンテンツを記憶する構成であってもよい。
【００４４】
また、制御部１５０は、ストレージ１９０に記憶されているコンテンツを読み出し、再生させることができる。例えば、制御部１５０は、ストレージ１９０におけるアドレスをストレージ１９０に指示する。ストレージ１９０は、制御部１５０により指示されたアドレスからコンテンツを読み出す。ストレージ１９０は、読み出したコンテンツを音声処理部１２１、映像処理部１３１、及び制御部１５０などに供給する。これにより、放送受信装置１００は、録画したコンテンツを再生することができる。
【００４５】
なお、放送受信装置１００は、受信部１１１及び復元部１１２をそれぞれ複数備える。これにより、放送受信装置１００は、複数のコンテンツを同時に受信し、受信した複数のコンテンツを同時に復元することができる。これにより、放送受信装置１００は、再生可能なコンテンツデータを同時に複数取得することが出来る。即ち、放送受信装置１００は、複数のコンテンツを同時に録画することが出来る。
【００４６】
図２は、制御部１５０の有する機能の例を示す。後述の字幕キーワード等に関連する。
図２に示されるように、制御部１５０は、上記のＣＰＵ１５１によりプログラムを実行することにより、種々の機能を実現することが出来る。例えば、制御部１５０は、文字領域抽出部１５１１、文字データ認識部１５１２、誤り訂正部１５１３、キーワード解析部１５１４、及び保存部１５１５を備える。さらに、制御部１５０は、検索部１５２１、リスト表示部１５２２、リスト選択部１５２３、及び再生部１５２４を備える。
【００４７】
後述の字幕抽出部６５、字幕キーワード抽出部６６は、主に文字領域抽出部１５１１、文字データ認識部１５１２、誤り訂正部１５１３、キーワード解析部１５１４に依る。
【００４８】
次に以下、図５までの添付図面を参照して視聴端末の実施形態にかかる電子機器及び制御方法の詳細を説明する。なお、以下の実施形態では、ＰＤＡや携帯電話等、ユーザが把持して使用する電子機器を例に説明する。
【００４９】
図３は、視聴端末の実施形態にかかる電子機器１０の外観を模式的に示す図である。電子機器１０は、表示画面を備えた情報処理装置であり、例えばスレート端末（タブレット端末）や電子書籍リーダ、デジタルフォトフレーム等として実現されている。なお、ここでは、Ｘ軸、Ｙ軸、Ｚ軸の矢印方向（Ｚ軸では図の正面方向）を正方向としている（以下同様）。
【００５０】
電子機器１０は、薄い箱状の筐体Ｂを備え、この筐体Ｂの上面に表示部１１が配置されている。表示部１１は、ユーザによってタッチされた表示画面上の位置を検知するタッチパネル（図４、タッチパネル１１ａ参照）を備えている。また、筐体Ｂの正面下部にはユーザが各種操作を行う操作スイッチ等である操作スイッチ１９、ユーザの音声を取得するためのマイク２１ａとマイク２１ｂとが配置されている。ここでは筐体Ｂの裏面に配置されているマイク２１ａと、筐体Ｂの上面に配置されているマイク２１ｂとに分かれている。マイク２１ａ、マイク２１ｂは、それぞれ指向性を持たせるのも好適である。
【００５１】
また、筐体Ｂの正面上部には音声出力を行うためのスピーカ２２が配置されている。また、筐体Ｂの縁には、把持するユーザの圧力を検知する圧力センサ２３が配置されている。なお、図示例ではＸ軸方向の左右の縁に圧力センサ２３を備える構成を例示したが、Ｙ軸方向の上下の縁に圧力センサ２３を備えてもよい。
【００５２】
図４は、実施形態にかかる電子機器１０のハードウェア構成の一例を示すブロック図である。図４に示すように、電子機器１０は、上述の構成に加え、ＣＰＵ１２、システムコントローラ１３、グラフィックスコントローラ１４、タッチパネルコントローラ１５、加速度センサ１６、不揮発性メモリ１７、ＲＡＭ１８、音声処理部２、通信部２４等を備えている。また音声処理部２０には、アナログのスイッチ２１ｃを介して内蔵または外付けのマイク２１ａとマイク２１ｂと、スピーカ２２とが接続されている。
【００５３】
表示部１１は、タッチパネル１１ａと、ＬＣＤ（Liquid  Crystal  Display）や有機ＥＬ（Electro  Luminescence）等のディスプレイ１１ｂとから構成されている。タッチパネル１１ａは、例えばディスプレイ１１ｂの表示画面上に配置された当面の座標検出装置から構成されている。タッチパネル１１ａは、例えば筐体Ｂを把持したユーザの指によってタッチされた表示画面上の位置（タッチ位置）を検知することができる。このタッチパネル１１ａの働きにより、ディスプレイ１１ｂの表示画面はいわゆるタッチスクリーンとして機能する。
【００５４】
ＣＰＵ１２は、電子機器１の動作を中央制御するプロセッサであり、システムコントローラ１３を介して電子機器１０の各部を制御する。ＣＰＵ１２は、不揮発性メモリ１７からＲＡＭ１８にロードされる、オペレーティングシステム、各種アプリケーションプログラムを実行することで、後述する各機能部（図７など参照）を実現する。ＲＡＭ１８は、電子機器１０のメインメモリとして、ＣＰＵ１２がプログラムを実行する際の作業領域を提供する。
【００５５】
システムコントローラ１３には、不揮発性メモリ１７及びＲＡＭ１８をアクセス制御するメモリコントローラも内蔵されている。また、システムコントローラ１３は、グラフィックスコントローラ１４との通信を実行する機能も有している。また、システムコントローラ１３は、通信部２４、インターネット等を介して図示せぬ外部のサーバへ音声波形等の音声信号を送信し、この音声波形に対する音声認識の結果を必要によっては受信する機能も有している。
【００５６】
グラフィックスコントローラ１４は、電子機器１０のディスプレイモニタとして使用されるディスプレイ１１ｂを制御する表示コントローラである。タッチパネルコントローラ１５は、タッチパネル１１ａを制御し、ユーザによってタッチされたディスプレイ１１ｂの表示画面上のタッチ位置を示す座標データをタッチパネル１１ａから取得する。
【００５７】
加速度センサ１６は、図１に示す３軸方向（Ｘ、Ｙ、Ｚ方向）や、これに各軸周りの回転方向の検出を加えた６軸方向の加速度センサ等であって、電子機器１０に対する外部からの加速度の向きと大きさを検出し、ＣＰＵ１２に出力する。具体的に、加速度センサ１６は、加速度を検出した軸、向き（回転の場合、回転角度）、及び大きさを含んだ加速度検出信号（傾き情報）をＣＰＵ１２に出力する。なお、角速度（回転角度）検出のためのジャイロセンサを、加速度センサ１６に統合する形態としてもよい。
【００５８】
音声処理部２０は、マイク２１ａ、マイク２１ｂより（スイッチ２１ｃを介して）入力される音声信号に、ディジタル変換、ノイズ除去、エコーキャンセル等の音声処理を施して、システムコントローラ１３を介して、ＣＰＵ１２へ出力する。また、音声処理部２０は、ＣＰＵ１２の制御のもとで、音声合成等の音声処理を施して生成した音声信号をスピーカ２２へ出力し、スピーカ２２による音声報知を行う。この音声処理部２０に、後述の特徴量抽出部１６がある。この中の音声処理部２０の詳細について次に説明する。
【００５９】
図５は、実施例にかかる音声処理部２０の詳細な構成を示すブロック図である。音声処理部２０は図７の各機能ブロックで用いられる音声信号処理演算の基本的なハードウェアやソフトウェア（モジュール）群であり、音声復号部５１、ＤＡ変換器５２、増幅器５３、増幅器５４、ＡＤ変換器５５、特徴量抽出部５６、音声符号部５７などから構成される。
【００６０】
このうち音声処理部２０ａは、ＤＡ変換器５２、増幅器５３、増幅器５４、ＡＤ変換器５５からなる言わばアナデジ変換部のハードウェア部分である。また音声処理部２０ｂは、音声復号部５１、特徴量抽出部５６、音声符号部５７などからなる言わば音声符号化／復号化部のソフトウェア部分である。
【００６１】
音声復号部５１は、システムコントローラ１３からの圧縮された音声信号を復号処理する。ＤＡ変換器５２は、それをＤＡ変換する。増幅器５３は、それを増幅して、スピーカ２２へ送出する。
【００６２】
増幅器５４は、マイクロホン２１ａ、マイク２１ｂからの音声信号を増幅する。ＡＤ変換器５５はそれをＡＤ変換する。特徴量抽出部５６は、その信号に対して、後述するような特徴量抽出処理を行う。
【００６３】
音声符号部５７は、一つにはＡＤ変換器５５の出力由来の信号に対して、音声圧縮処理を行い、システムコントローラ１３へ送出するが、また上記の特徴量抽出結果を中継する。
【００６４】
図６は、放送受信装置１００による視聴装置（以下）の機能構成図の一例を示している。この視聴装置は、表示部６１、コマンド生成部６２、送受信部６３、スピーカ部６４、字幕抽出部６５、字幕キーワード抽出部６６を含んでいる。表示部６１はディスプレイ４００に、スピーカ部６４はスピーカ３００による。コマンド生成部６２、字幕抽出部６５、字幕キーワード抽出部６６はＣＰＵ１５１の処理による。また送受信部６３は、ＣＰＵ１５１の処理により、ＬＡＮコネクタ１７１を介して機能するよう構成されている。
【００６５】
字幕抽出部６５、字幕キーワード抽出部６６は、地上ディジタル放送、ＢＳディジタル放送などの放送信号の形式を問わない。放送波だけではなく、インターネット上の動画でも適用可能である。また、アナログ信号など字幕情報が取得できない放送信号でも、ネットワークを利用し字幕情報が取得でき、その字幕情報が放送番組と関連付けられるのであれば、本技術は利用可能である。
【００６６】
図７は、電子機器１０による視聴端末（以下）の機能構成図の一例を示している。この視聴端末は、マイク部７１、コマンド生成部７２、コンテンツ情報解析部７３、送受信部７４、音声キーワード抽出部７５、比較部７６、アプリケーション起動部７７、記憶部７８、を含んでいる。マイク部７１はマイク２１ａ，２１ｂ等に、記憶部７８は不揮発性メモリ１７やＲＡＭ１８等による。コンテンツ情報解析部７３、音声キーワード抽出部７５、比較部７６、アプリケーション起動部７７はＣＰＵ１２の処理による。また送受信部７４は、ＣＰＵ１２の処理により、システムコントローラ１３と通信部２４を介して機能するよう構成されている。
【００６７】
図８は、視聴装置の字幕キーワード送信までのシーケンスを示している。
ステップＳ８１：  コンテンツが表示部６１で表示される。このコンテンツに伴う音声はスピーカ部６４から出力される。
ステップＳ８２：  字幕を字幕抽出部６５で抽出する。文字領域抽出部１５１１で文字領域を抽出し、文字データ認識部１５１２で文字データを認識し、誤り訂正部１５１３でこの文字データの前後関係などから誤り訂正を行う。
【００６８】
ステップＳ８３：  抽出された字幕から字幕キーワード抽出部６６で字幕キーワードを抽出する（キーワード解析部１５１４による解析と保存部１５１５による保存）。このときコンテンツのＥＰＧ（Electronic Program Guide）情報を関連付けて利用してもよい。
【００６９】
ステップＳ８４：  この字幕キーワードを送受信部６３から送信する。
図９は、視聴装置のコンテンツ情報要求コマンド受信から送信までのシーケンスを示している。
ステップＳ９１：  ＣＰＵ１５１はコンテンツ情報要求コマンドを送受信部６３を通じて受信したか否かの判定を行い、この判定結果がＹＥＳならば次のステップに進みＮＯならばステップ９１を繰り返す。
【００７０】
ステップＳ９２：  ＣＰＵ１５１は現在の視聴中のコンテンツのコンテンツ情報（コンテンツの、に関する情報）を復元部１１２、映像処理部１３１あるいはストレージ１９０から取得する。
【００７１】
ステップＳ９３：  コンテンツ情報を送信のためのコマンドとしてコマンド生成部６２が生成する。
ステップＳ９４：  送受信部６３はこのコンテンツ情報を送信する。
図１０は、視聴端末の処理シーケンスを示している。
ステップＳ１０１：  マイク部７１経由で音声を取得する。マイク２１ａから集音された音声は増幅器５４で増幅され、ＡＤ変換器５５でＡＤ変換されディジタル信号ｘ１（ｔ）となる。また同様にマイク２１ｂから集音された音声は増幅器５４で増幅されＡＤ変換器５５でＡＤ変換されディジタル信号ｘ２（ｔ）となる。音声処理部２０は、スイッチ２１ｃを時分割で切り替えることにより、実用上重なった時間帯にこれら両ディジタル信号を得る。
【００７２】
特徴量抽出部５６では、例えば両ディジタル信号の周波数帯域のパワーを算出する。まずディジタル信号ｘ１（ｔ）、ディジタル信号ｘ２（ｔ）の夫々時間／周波数領域変換によって、振幅スペクトルＸ１（ｎ）、Ｘ２（ｎ）が得られる。次に帯域パワー計算により夫々帯域パワーＸｄ１（ｋ）、Ｘｄ２（ｋ）が算出される。振幅スペクトルＸｉ（ｎ）（ｉ＝１，２）は、低域から高域まで例えば１６個の周波数帯域に分割され、これらの周波数帯域ごとに平均をとって各周波数帯域を代表する帯域パワーＸｄｉ（ｋ）（ｋ＝０〜Ｋ−１。Ｋは周波数帯域数で、例えば１６でｋが小さい方が低域、大きい方が高域とする。）（ｉ＝１，２）が算出される。ここでは、周波数帯域は等間隔に分割されてもよいが、バークスケールやメルスケール等のように、低域ほど分割幅を狭くして、人間の聴覚特性に適した分割幅を採用してもよい。このようにして各周波数帯域を代表する帯域パワーＸｄｉ（ｋ）（ｉ＝１，２）が求められる。
【００７３】
ステップＳ１０２：  この帯域パワーＸｄｉ（ｋ）から音声キーワード抽出部７５で音声キーワードを抽出し、保持する。帯域パワーＸｄ１（ｋ）と帯域パワーＸｄ２（ｋ）のレベル差が相当量以上であればパワーの大きな方の帯域パワーＸｄｉ（ｋ）のみを記憶（保持）してもよい。視聴装置（のスピーカ等）に対する視聴端末の向きによりこのようなことは発生する可能性がある。なお前記マイク部からの音量が一定値以下だと判定された場合には記憶しない。
【００７４】
音声キーワードを抽出するに当たってはまず音声認識処理を行う。この音声認識処理においてＣＰＵ１２は中心となり、必要に応じ図示せぬ単語辞書やイントネーション辞書を用いて音声キーワード抽出部７５として機能する。例えば、音素単位の認識により（必要に応じ形態素解析等も援用して）音素系列を得るのみならず、単語辞書により「はし」という言葉が認識されたときに、イントネーション辞書も援用してこの「はし」が「橋」なのか「箸」なのかなど尤度を付与した結果を援用するように構成してもよい。
【００７５】
ステップＳ１０３：  字幕キーワードを送受信部７４から受信する。この字幕キーワードが受信されるまでの一定時間、上記音声キーワードは保持される。
ステップＳ１０４：  この字幕キーワードと先の音声キーワードを比較部７６で比較する。
ステップＳ１０５：  両キーワードが一致しているかの判定を比較部７６は行う。この判定結果がＹＥＳであれば処理を終了し、ＮＯであれば（音声キーワードが保持されてない場合も含む）以下のステップに進む。
【００７６】
ステップＳ１０６：  コンテンツ情報取得のコマンドをコマンド生成部７２で生成する。
ステップＳ１０７：  コマンドを送受信部７４から送信する。
ステップＳ１０８：  コンテンツ情報を取得したかの判定をコンテンツ情報解析部７３で行う。この判定結果がＮＯであればステップＳ１０７に戻り、ＹＥＳであれば以下のステップに進む。
【００７７】
ステップＳ１０９：  コンテンツ情報をコンテンツ情報解析部７３で解析する。
ステップＳ１１０：  解析した結果に合わせて、アプリケーション起動部７７で予め記憶部７８に記憶されている関連アプリケーション（ＤＬＮＡ（登録商標、(Digital Living Network Alliance)）のＤＭＰ（Digital Media Player）や地デジ用アプリなどコンテンツを取得するもの）を起動する。
【００７８】
本実施形態においては、ＴＶとタブレットとの間でユーザの継続視聴を連携する。例えば、タブレットを持って部屋間を移動すると、自動で見ていたシーンからの視聴を可能にする。
【００７９】
即ち、視聴端末（タブレット）が視聴装置から取得した字幕キーワードと視聴端末の周りの音から抽出した音声キーワードとを比較することにより、ユーザが視聴装置での視聴可能範囲内にいるかどうかが判定され、範囲外にいると判定された場合に、視聴装置と視聴端末が連携する（なお、アプリケーション起動部７７は、本アプリケーションにコンテンツ視聴機能がある場合は保持していなくてもよい。）。概要として次のようなステップによる。
【００８０】
（１）視聴装置は、字幕を抽出し、そこからキーワード（字幕キーワード）抽出する。
（２）視聴装置は、この字幕キーワードを送信する。
（３）視聴端末は、ＴＶの音声を取得し、音声からキーワード（音声キーワード）を抽出する。
（４）視聴端末は、上記字幕キーワードとこの音声キーワードを比較し、不一致ならば、ネットワーク経由でＴＶからコンテンツ情報を取得しようとする。
（５）視聴装置は、対応としてＴＶのコンテンツ情報を取得し送信する。
（６）視聴端末は、関連アプリを起動し、継続視聴を実現する。
先行技術と比べた効果として、アプリケーションをリモートコントローラとして用いたＴＶの視聴中に、タブレットを持ち出しても、自動的に持ち出されたことを判断し、ユーザによる操作なく、タブレットで継続視聴ができる。ユーザが部屋間を移動した場合、アプリケーションを起動するなどの手間なく、視聴装置で視聴していたコンテンツを継続して視聴できる。
【００８１】
なお、この発明は上記実施形態に限定されるものではなく、この外その要旨を逸脱しない範囲で種々変形して実施することができる。例えば音声認識処理は、特徴量抽出部１６側で分担するような設計を行ってもよい。また逆に特徴量抽出部処理を、ＣＰＵ１２で分担するような構成を採ってもよい。また前述のように外部のサーバに音声認識処理を依存してもよい。
【００８２】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００８３】
１０…電子機器、１１…表示部、１２…ＣＰＵ、１３…システムコントローラ、１４…グラフィックスコントローラ、１５…タッチパネルコントローラ、１６…加速度センサ、１７…不揮発性メモリ、１８…ＲＡＭ、１９…操作スイッチ、２０…音声処理部、２１ａ，２１ｂ…マイク、２２…スピーカ、２３…圧力センサ、２４…通信部、１１ａ…タッチパネル、１１ｂ…ディスプレイ、５１…音声復号部、５２…ＤＡ変換器、５３…増幅器、５４…増幅器、５５…ＡＤ変換器、５６…特徴量抽出部、５７…音声符号部、Ｂ…筐体。
６１…表示部、６２…コマンド生成部、６３…送受信部、６４…スピーカ部、６５…字幕抽出部、６６…字幕キーワード抽出部、７１…マイク部、７２…コマンド生成部、７３…コンテンツ情報解析部、７４…送受信部、７５…音声キーワード抽出部、７６…比較部、７７…アプリケーション起動部、７８…記憶部。
１００…放送受信装置、１１０…放送入力端子、１１１…受信部、１１２…復元部、１１４…通信インターフェース、１２１…音声処理部、１３１…映像処理部、１３３…表示処理部、１５０…制御部、１５１…ＣＰＵ、１５２…ＲＯＭ、１５３…ＲＡＭ、１５４…ＥＥＰＲＯＭ、１６１…操作入力部、１６４…カードコネクタ、１６５…メモリカード、１６６…ＵＳＢコネクタ、１６７…ＵＳＢ機器、１７０…ディスクドライブ、１７１…ＬＡＮコネクタ、１８０…電源制御部、１９０…ストレージ、２００…アンテナ、３００…スピーカ、４００…ディスプレイ、５００…商用電源、１５１１…文字領域抽出部、１５１２…文字データ認識部、１５１３…誤り訂正部、１５１４…キーワード解析部、１５１４ａ…キーワード辞書、１５１５…保存部、１５２１…検索部、１５２２…リスト表示部、１５２３…リスト選択部、１５２４…再生部。
【図１】
2015109525.tif 000003
【図２】
2015109525.tif 000004
【図３】
2015109525.tif 000005
【図４】
2015109525.tif 000006
【図５】
2015109525.tif 000007
【図６】
2015109525.tif 000008
【図７】
2015109525.tif 000009
【図８】
2015109525.tif 000010
【図９】
2015109525.tif 000011
【図１０】
2015109525.tif 000012